(57)【要約】      （修正有）【課題】植物の生育促進に寄与するものであって、竹を炭化してなる竹炭の通気性・透水性・吸着機能を活用した植物栽培における竹炭の提供。【解決手段】鉢植えの植物において、植物を植えた鉢１内の土５の表面８より上端開口部をやや突出させた状態で、鉢１内に中空筒状の竹炭７を所要個数埋設し、また芽促進用としては中空筒状の竹炭７の内部に土５と種子を充填して発芽を促進させるようにする方法とともに、上記竹炭７の表面に粒状肥料を多数付着させるようにした構造。【選択図】図１
0003133144.tif 000002
【実用新案登録請求の範囲】
【請求項１】
鉢植えの植物において、植物を植えた鉢内の土の表面より上端開口部をやや突出させた状態で、中空筒状の竹炭を所要個数埋設することを特徴とする植物栽培における竹炭の利用方法。
【請求項２】
発芽促進用として、内部に土と種子とを充填した中空筒状の竹炭を受け皿状の容器体に並べて設けるようにしたことを特徴とする植物栽培における竹炭の利用方法。
【請求項３】
前記中空筒状の竹炭の表面に多数の粒状肥料を貼り付けてなる請求項１または2のいずれかに記載の竹炭の利用方法。
【請求項４】
前記中空筒状の竹炭に通気用の細孔を穿設してなる請求項1又は2のいずれかに記載の竹炭の利用方法。
【請求項５】
中空筒状の上下に貫通して形成した竹炭の表面に多数の粒状肥料を貼り付けてなる植物栽培における竹炭の構造。
【請求項６】
多数の粒状肥料を貼り付けた紙料を、中空筒状で上下に貫通してなる竹炭の外側に貼り付けてなる植物栽培における竹炭の構造。
【請求項７】
中空筒状の竹炭に通気用の細孔を穿接してなる請求項5又は6に記載の植物栽培における竹炭の構造。
【請求項８】
縦に割った竹炭を任意組み合わせて鉢内に埋設するようにしてなる植物栽培における竹炭の構造。
【請求項９】
縦に割った竹炭の表面に遅効性又は即効性の粒状肥料を多数貼り付けてなる植物栽培における竹炭の構造。
【考案の詳細な説明】
【技術分野】
【０００１】
本考案は、竹を炭化してなる竹炭を用いて、植物の生育促進に寄与するものであって、竹炭の通気性・透水性・吸着機能を活用しようとするものである。
【背景技術】
【０００２】
竹を炭化してなる竹炭は、その特性を利用して、種々の用途に利用されてきているが、これを植物の栽培に利用しようとする試みは一切なされていなかった。そこで本考案は竹炭の通気性・透水性・吸着機能に着目して、植物の生育に対して有意義な活用方法を採用すると共に、竹炭自体に植物栽培に有用な構造を提案するものである。
【非特許文献１】竹炭・竹酢液 つくり方 生かし方  日本竹炭竹酢液生産者協議会編
【考案の開示】
【考案が解決しようとする課題】
【０００３】
一般に植物は鉢植えの場合、また地植えの場合でも、土中の植物の根はその成長もあって、土が次第に固く締まってくることが経験されている。そのため、植物の根の呼吸が妨げられることになってその生育に支障をきたすことが問題視されている。
【課題を解決するための手段】
【０００４】
ここにおいて本考案は、鉢植えに限らず、地植えの場合においても、植物の根の近傍に中空筒状の竹炭が埋設されていることにより、空気が根の深部にまで行き届いて、根自体また植物の生育に多大な効果を発揮するものであると考えられ、しかも、その活用に当たって、中空筒状の竹炭に施された構造に基づいて、植物の生育を更に促進するものである。
【考案の効果】
【０００５】
この考案によれば、前記中空筒状の竹炭が、植物が植わっている土中に埋設していることによって、この中空筒状の竹炭の内部に空気が入り込んで通気性を確保できると共に、植物の根から出る有機酸が竹の吸着性によって、悪影響を回避できるという効果もえられ、更に発芽促進用としての利用によって、発芽率の向上に寄与すること多大なものがある。
【考案を実施するための最良の形態】
【０００６】
図1はこの考案を鉢植えの植物に適用した例を示す断面図であって、鉢1の内部には底に形成した通水口2に防虫用の網3を張り、更に鉢底石4を介在させ、その上に土5を充填するにあたって、植物6を植え込むのであるが、本考案では中空筒状の竹炭7を、鉢1の大きさによって任意の個数を埋め込むのであって、この場合、鉢１に充填されている土5の表面8よりほぼ1cm程度突出させて、水遣りの際に竹炭7の内部に泥水が入り込まないようにする。
【０００７】
前記竹炭7は、予め節を取り除いた中空筒状のものを使用するものであって、鉢1の内部の土5は植物6の根9の成長に伴ってだんだんに硬く締まって来て、呼吸作用がし難くなるのであるが、本考案によれば空気は竹炭7が鉢1の内部に深く差し込まれていることにより、空気が根9の深部にも行き渡り、植物6の生育促進に役立つものである。
【０００８】
植物6からは有機酸が排出され、溜まりすぎると植物6の根9に悪影響を及ぼすものであるが、鉢1内に竹炭7が入っていることにより、竹炭の吸着機能により過剰な有機酸を吸着するのである。また、鉢1に潅水しても、中空筒状の竹炭7の存在によって、いつまでも水分過多の状態にはならず、したがって寝腐れが起こり難くなることが期待される。  使用後の竹炭7は洗って天日乾燥すれば再利用も可能で、砕いて土に埋めれば土壌改良材としても利用可能である。
【０００９】
次に、発芽促進用にこの考案を利用する例を、図2ないし4によって説明する。図2は竹炭7の内部に3分の２程度の土5と種子10を充填するものであって、この状態で推移すると図3に示すように、中空筒状の竹炭7の内部で発芽した植物6の苗11が竹炭7から立ち上がってくるのである。図４はこのようにして発芽させるための設備に関して説明するものであって、比較的大型の受け皿状の容器12に、種子10を仕込んだ竹炭7を多数並べておき、潅水を容器12に対してジヨウロなどで行うのである。
【００１０】
市販の発芽促進の容器では発芽後、定植するする手間がかかるが、本考案によればそのまま定植することができると共に、根9を傷めないで移植できるものである。植物6の茎13が太くなっても竹炭7の内側から力が掛かるので簡単に割れるものと考えられる。しかしながら、竹炭7が内部からの力によって割れる可能性がないとはいえないので、実用上は必要に応じて、図4に示す竹炭7の左端部に示すように、予め割れ目17を付することも考慮される。
【００１１】
図5は竹炭７が太い場合や長い場合いには、途中に通気用の細孔14をあけて通気性を更に高めることも可能である。
【００１２】
図６は中空筒状の竹炭7に対して、肥効作用を付与しようとするものであって、竹炭7の表面に接着性の塗布剤を介して粒状肥料15を多数貼り付けるのであって、この場合の肥料15は、遅効性のものや即効性のものを、使用目的によって採用することができる。
【００１３】
図7は紙料16に肥料15を貼り付けた（ａ）の状況から、竹炭7の表面にこの紙料16を貼り付けて固定した（ｂ）のようにするものであるが、その機能については図６に示すのと同様である。
【００１４】
図8は竹炭の利用方法の他の例を示すものであって、（A）は竹炭7を縦に割った7aと7bを向かい合わせた状態で鉢内に挿入するものであって、この場合は7aと7bの２本の間隔をあけることによって間に空気が通る空間を確保することができるが、必要に応じて2本をピッタリとあわせて使用するとしても、2本の間には若干の空間が形成されるので植物の根に対する通気は確保される。
【００１５】
図8の（B）は縦に割った竹炭7ｃ、7ｄ、7ｅを適宜組み合わせる例を示し、各竹炭7ｃ、７ｄ、７ｅの組み合わせによってこれらの間に通気用の空間が形成されるようにすることができる。
【００１６】
これら（A）、（B）によって、鉢内の通気性を確保できることにより、植物の生育に効果をもたらす共に、植物の根から出る有機酸を竹の吸着性によって、その悪影響を回避できるものである。
【００１７】
また、図8の（C）は縦に割った竹炭7fの面に遅効性又は即効性の肥料の粒状肥料15aを貼り付けるものであって、竹炭7fを任意の場所に埋め込むようにするものである。この（C）によって、植物の根から出る有機酸の吸着とともに、植物の生育を粒状肥料によって促進できるものである。
【図面の簡単な説明】
【００１８】
【図１】この考案の鉢植用の植物に施した状態の断面図。
【図２】発芽促進用に使用する初期の段階の断面図。
【図３】図2の状態で発芽した状況の断面図。
【図４】発芽促進用の実施例の斜視図。
【図５】竹炭が太い場合や長い場合における竹炭に通気用の細孔を開けた状況の立面図。
【図６】中空状筒体への施肥の態様を示す斜視図。
【図７】図6に示す例の他の応用例を示す説明図。
【図８】竹炭の他の利用例（A）、（B）、（C）を示す斜視図。
【符号の説明】
【００１９】
１    鉢
２    通水口
３    防虫用の網
４    底石
５    土
６    植物
７    竹炭
８    表面
９    根
１０  種子
１１  苗
１２  容器
１３  茎
１４  細孔
１５  粒状肥料
１６  紙料
１７  割れ目
【図１】
0003133144.tif 000003
【図２】
0003133144.tif 000004
【図３】
0003133144.tif 000005
【図４】
0003133144.tif 000006
【図５】
0003133144.tif 000007
【図６】
0003133144.tif 000008
【図７】
0003133144.tif 000009
【図８】
0003133144.tif 000010
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
鉢植えの植物において、植物を植えた鉢内の土の表面より上端開口部をやや突出させた状態で、中空筒状の竹炭を所要個数埋設することを特徴とする植物栽培における竹炭の構造。
【請求項２】
発芽促進用として、内部に土と種子とを充填した中空筒状の竹炭を受け皿状の容器体に並べて設けるようにしたことを特徴とする植物栽培における竹炭の構造。
【請求項３】
前記中空筒状の竹炭の表面に多数の粒状肥料を貼り付けてなる請求項１または2のいずれかに記載の竹炭の構造。
【請求項４】
前記中空筒状の竹炭に通気用の細孔を穿設してなる請求項1又は2のいずれかに記載の竹炭の構造。
【請求項５】
中空筒状の上下に貫通して形成した竹炭の表面に多数の粒状肥料を貼り付けてなる植物栽培における竹炭の構造。
【請求項６】
多数の粒状肥料を貼り付けた紙料を、中空筒状で上下に貫通してなる竹炭の外側に貼り付けてなる植物栽培における竹炭の構造。
【請求項７】
中空筒状の竹炭に通気用の細孔を穿接してなる請求項5又は6に記載の植物栽培における竹炭の構造。
【手続補正２】
【補正対象書類名】明細書
【補正対象項目名】全文
【補正方法】変更
【補正の内容】
【考案の詳細な説明】
【技術分野】
【０００１】
本考案は、竹を炭化してなる竹炭を用いて、植物の生育促進に寄与するものであって、竹炭の通気性・透水性・吸着機能を活用しようとするものである。
【背景技術】
【０００２】
竹を炭化してなる竹炭は、その特性を利用して、種々の用途に利用されてきているが、これを植物の栽培に利用しようとする試みは一切なされていなかった。そこで本考案は竹炭の通気性・透水性・吸着機能に着目して、植物の生育に対して有意義な活用方法を採用すると共に、竹炭自体に植物栽培に有用な構造を提案するものである。
【非特許文献１】竹炭・竹酢液 つくり方 生かし方  日本竹炭竹酢液生産者協議会編
【考案の開示】
【考案が解決しようとする課題】
【０００３】
一般に植物は鉢植えの場合、また地植えの場合でも、土中の植物の根はその成長もあって、土が次第に固く締まってくることが経験されている。そのため、植物の根の呼吸が妨げられることになってその生育に支障をきたすことが問題視されている。
【課題を解決するための手段】
【０００４】
ここにおいて本考案は、鉢植えに限らず、地植えの場合においても、植物の根の近傍に中空筒状の竹炭が埋設されていることにより、空気が根の深部にまで行き届いて、根自体また植物の生育に多大な効果を発揮するものであると考えられ、しかも、その活用に当たって、中空筒状の竹炭に施された構造に基づいて、植物の生育を更に促進するものである。
【考案の効果】
【０００５】
この考案によれば、前記中空筒状の竹炭が、植物が植わっている土中に埋設していることによって、この中空筒状の竹炭の内部に空気が入り込んで通気性を確保できると共に、植物の根から出る有機酸が竹の吸着性によって、悪影響を回避できるという効果もえられ、更に発芽促進用としての利用によって、発芽率の向上に寄与すること多大なものがある。
【考案を実施するための最良の形態】
【０００６】
図1はこの考案を鉢植えの植物に適用した例を示す断面図であって、鉢1の内部には底に形成した通水口2に防虫用の網3を張り、更に鉢底石4を介在させ、その上に土5を充填するにあたって、植物6を植え込むのであるが、本考案では中空筒状の竹炭7を、鉢1の大きさによって任意の個数を埋め込むのであって、この場合、鉢１に充填されている土5の表面8よりほぼ1cm程度突出させて、水遣りの際に竹炭7の内部に泥水が入り込まないようにする。
【０００７】
前記竹炭7は、予め節を取り除いた中空筒状のものを使用するものであって、鉢1の内部の土5は植物6の根9の成長に伴ってだんだんに硬く締まって来て、呼吸作用がし難くなるのであるが、本考案によれば空気は竹炭7が鉢1の内部に深く差し込まれていることにより、空気が根9の深部にも行き渡り、植物6の生育促進に役立つものである。
【０００８】
植物6からは有機酸が排出され、溜まりすぎると植物6の根9に悪影響を及ぼすものであるが、鉢1内に竹炭7が入っていることにより、竹炭の吸着機能により過剰な有機酸を吸着するのである。また、鉢1に潅水しても、中空筒状の竹炭7の存在によって、いつまでも水分過多の状態にはならず、したがって寝腐れが起こり難くなることが期待される。  使用後の竹炭7は洗って天日乾燥すれば再利用も可能で、砕いて土に埋めれば土壌改良材としても利用可能である。
【０００９】
次に、発芽促進用にこの考案を利用する例を、図2ないし4によって説明する。図2は竹炭7の内部に3分の２程度の土5と種子10を充填するものであって、この状態で推移すると図3に示すように、中空筒状の竹炭7の内部で発芽した植物6の苗11が竹炭7から立ち上がってくるのである。図４はこのようにして発芽させるための設備に関して説明するものであって、比較的大型の受け皿状の容器12に、種子10を仕込んだ竹炭7を多数並べておき、潅水を容器12に対してジヨウロなどで行うのである。
【００１０】
市販の発芽促進の容器では発芽後、定植するする手間がかかるが、本考案によればそのまま定植することができると共に、根9を傷めないで移植できるものである。植物6の茎13が太くなっても竹炭7の内側から力が掛かるので簡単に割れるものと考えられる。しかしながら、竹炭7が内部からの力によって割れる可能性がないとはいえないので、実用上は必要に応じて、図4に示す竹炭7の左端部に示すように、予め割れ目17を付することも考慮される。
【００１１】
図5は竹炭７が太い場合や長い場合いには、途中に通気用の細孔14をあけて通気性を更に高めることも可能である。
【００１２】
図６は中空筒状の竹炭7に対して、肥効作用を付与しようとするものであって、竹炭7の表面に接着性の塗布剤を介して粒状肥料15を多数貼り付けるのであって、この場合の肥料15は、遅効性のものや即効性のものを、使用目的によって採用することができる。
【００１３】
図7は紙料16に肥料15を貼り付けた（ａ）の状況から、竹炭7の表面にこの紙料16を貼り付けて固定した（ｂ）のようにするものであるが、その機能については図６に示すのと同様である。
【図面の簡単な説明】
【００１４】
【図１】この考案の鉢植用の植物に施した状態の断面図。
【図２】発芽促進用に使用する初期の段階の断面図。
【図３】図2の状態で発芽した状況の断面図。
【図４】発芽促進用の実施例の斜視図。
【図５】竹炭が太い場合や長い場合における竹炭に通気用の細孔を開けた状況の立面図。
【図６】中空状筒体への施肥の態様を示す斜視図。
【図７】図6に示す例の他の応用例を示す説明図。
【符号の説明】
【００１５】
１    鉢
２    通水口
３    防虫用の網
４    底石
５    土
６    植物
７    竹炭
８    表面
９    根
１０  種子
１１  苗
１２  容器
１３  茎
１４  細孔
１５  粒状肥料
１６  紙料
１７  割れ目
【手続補正３】
【補正対象書類名】図面
【補正対象項目名】図８
【補正方法】削除
【補正の内容】